(57)【要約】【課題】  圧電部品を構成する基板構造を簡素化し、基板コストを低減し圧電部品全体の価格を低減することを目的とする。【解決手段】  課題を解決するために本発明は、基板に複数個の表面実装用端子と、該基板に圧電素子を搭載するための電極パターンとが形成され、該基板にフタを被せて容器を構成する圧電部品用基板において、前記基板に形成する複数個の表面実装用端子と該基板は略平坦な面状態を有し搭載する圧電部品の導通と固着をとる電極パターンが形成されており、略平坦な面側の外周部に該フタを固着する接着部材を配置して密閉構造を実現する圧電部品用基板により課題を解決する。【選択図】  図１
2005159796.tif 000002
【特許請求の範囲】
【請求項１】
基板に複数個の表面実装用端子と、該基板に圧電素子を搭載するための電極パターンとが形成され、該基板にフタを被せて容器を構成する圧電部品用基板において、
前記基板に形成する複数個の表面実装用端子と該基板は略平坦な面状態を有し搭載する圧電部品の導通と固着をとる電極パターンが形成されており、略平坦な面側の外周部に平板状のフタを固着する接着部材を配置して密閉構造を実現する圧電部品用基板。
【請求項２】
請求項１記載の接着部材は中心部分とその周囲を被う被覆を有し、中心部分で該密閉構造の空間部分を構成し、該被覆部分が溶解することで該基板
と該フタとの接着効果を出すことを特徴とする圧電部品用基板。
【発明の詳細な説明】
【技術分野】
【０００１】
本発明は、水晶振動子やセラミック振動子等の圧電素子（振動子）を気密に収容するための圧電振動子収納用パッケージに関するものである。
【背景技術】
【０００２】
水晶振動子等の圧電振動子を収容するための圧電振動子収納用パッケージは、例えば酸化アルミニウム質焼結体等のセラミックス材料から成り、上面中央部に圧電振動子を収容するための凹部を有するセラミック基板と、セラミック基板の上面外周部に、凹部を取り囲むようにして取着された鉄−ニッケル−コバルト合金や鉄−ニッケル合金等の金属材料から成る封止用金属枠体と、この封止用金属枠体上に接合されるフタとから構成されている。
【０００３】
セラミック基板は、ほぼ四角平板状のセラミック底板とその上に積層されたほぼ四角枠状のセラミック枠体とから形成されている。そしてセラミック基板には、その凹部内のセラミック底板の上面からセラミック底板の外周側面にかけて圧電振動子の電極が接続される複数のメタライズ配線導体が被着されている。
【０００４】
また、セラミック底板の下面外周部にはそれぞれ外部電気回路基板に電気的に接続される信号用外部接続パッドと接地用外部接続パッドとが形成されており、そのうちの信号用外部接続パッドとメタライズ配線導体とは互いに電気的に接続されている。さらに、セラミック枠体の上面には凹部を取り囲む枠状の封止用メタライズ層が被着されており、この封止用メタライズ層に封止用金属枠体が銀−銅合金等のろう材を介して接合されている。
【０００５】
ここで図４に従来の密閉構造容器を描画するが、一般的に圧電振動子（素板）を収納するために空間部分が必要であることから、密閉構造容器を構成する部品には基板とフタを必要として、圧電振動子を収納する空間部分を基板かフタのいずれかに設けることが必須条件でもある。
【特許文献１】特開平１１−３０２０３４号公報
【発明の開示】
【発明が解決しようとする課題】
【０００６】
昨今の圧電体部品はセットメーカで製造する製品の小型化に伴い、その内部に実装搭載される電子部品、圧電体部品も小型化、低背化の要求が強まっている。一例を挙げると携帯電話やモバイル製品などを代表例にして説明することができる。これらの製品は、またその一方では、製品価格の急激な値下げがあったり、製品そのもののライフ（製品寿命）が短命化していることから、セットメーカにおける製品製造スピードや製品の機種変更（モデルチェンジ）なども従前に比べて短期化している現状にある。
【０００７】
そのため、それらのセットメーカで製造する製品の内部に搭載する半導体部品や圧電素子も製品の機種変更に伴い、部品の機能や性能あるいは小型化や低背化と言った形状についても頻繁に変更要求が強いられる現状にあり、同時に現状にの最大の課題は製造コストを低減し効率の良い採算を得ることも課題にある。
【発明の効果】
【０００８】
本発明により製造コストを低減すると同時に極端な例ではひとつのシート状基板に圧電振動子、弾性表面波素子、フィルタなど機能の異なる圧電部品の組立が行えることから、構成部品材料の管理も簡略化することで更に製造コストの低減を実現することができる。
【発明を実施するための最良の形態】
【０００９】
本発明は基板に複数個の表面実装用端子と、該基板に圧電素子を搭載するための電極パターンとが形成され、該基板にフタを被せて容器を構成する圧電部品用基板において、前記基板に形成する複数個の表面実装用端子と該基板は略平坦な面状態を有し搭載する圧電部品の導通と固着をとる電極パターンが形成されており、略平坦な面側の外周部に該平板状のフタを固着する接着部材を配置して密閉構造を実現する圧電部品用基板である。
【００１０】
要するに、従来では密閉構造容器を実現する上で水晶振動子（素板）の収納部分には空間部分を必要とすることから、背景技術に記載するような構造を持つ（図４参照）容器構造が必要となっていたが、本発明ではこの空間部分を基板と平板状のフタとの接合する接着部材で代用することで、基板あるいはフタのいずれかに形成すべき空間部分を省略したことが特徴となる。なお、本発明では接着部材の構造として中心部分とその周囲を被う被覆を有し、中心部分で該密閉構造の空間部分を構成し、該被覆部分が溶解することで該基板と該フタとの接着効果を出すことを特徴とする圧電部品用基板である。
【実施例１】
【００１１】
以下本発明による一実施形態を図面を参照しながら説明する。図１は本発明の圧電部品用基板１の概念図を示す分解斜視図である。図１に描画するのは平板状のフタ２、基板１、圧電素子４（素板）の単純な構成部品を示すものである。ここで本発明の特徴でもある圧電部品用基板１の圧電素子４を実装する面は略平坦で、圧電素子４の空間部分を得るためには基板１と平板状のフタ２とを接合する接着部材３が代用することでひとつの製品の部品コストを大幅に低減し、同時に構成部品（基板１と平板状のフタ２）の管理を簡略化することができる。なお、図１では圧電素子４の電極や基板上の接続電極パターンは描画していない。また圧電部品用基板１の材質としてはセラミックや有機材料など加工性と耐久性、気密性に優れた材料を用いることが望ましい。なお特に図示はしないが、圧電素子４と基板１は導電接着剤や金バンプにより導通と固着が取られている。
【００１２】
図２は本発明で用いる接着部材３に着目した図である。図２（ａ）は接着部材３の全体を示す概念図で、 図２（ｂ）は接着部材３の断面図を示したものである。図２（ａ）では接着部材３は平坦な板状で描画するが断面が丸状であってもこの形状を問うものでは無い。そして図２（ｂ）に示す断面図から分かるように、接着部材３は中心部分と被覆部分との材質が異なった組合せで構成されたものである。
【００１３】
中心部分は圧電素子４の収納部分を確保するための空間部分を形成し、その周りの被覆部分で圧電部品用基板１と平板状のフタ２の固着を行うもので、接着部材３の中心部分と被覆部分の構成材料の一例としては、樹脂材料とはんだ、耐熱樹脂材料と熱硬化性樹脂、金属材料とはんだあるいはロウ材、金属材料あるいは樹脂材料とガラス、と言った組合せのものが考えられる。
【実施例２】
【００１４】
図３は本発明の圧電部品用基板１をシート状で考えた場合の概念を平面図により表現したものである。図３は基板１面に素子４（水晶振動子や弾性表面波素子、フィルタ）を搭載することまでを考えたものである。要するに、基板１に複数個の表面実装用端子と、該基板１に圧電素子４を搭載するための電極パターンとが形成され、該基板１に平板状のフタ２を被せて容器を構成する圧電部品用基板１において、前記基板１に形成する複数個の表面実装用端子と該基板１は略平坦な面状態を有し搭載する圧電部品の導通と固着をとる電極パターンが形成されており、略平坦な面側の外周部に平板状のフタ２を固着する接着部材３を配置して密閉構造を実現する圧電部品用基板１となる。
【００１５】
図３でひとつの素子の搭載部分に注目するとＡ部分に基板１と平板状のフタ２とを接合する接着部材３を配置し、この接着部材３の厚みで圧電素子４を収納するための空間部分を同時に確保するものである。なお接着部材３の厚みは５０〜８０μｍあれば十分である。ここで圧電部品用基板１の表裏の導通をとるためにスルーホールを施すことも必要である。
【００１６】
なお、図４は従来の水晶振動子容器を説明する部分断面図で、基板１と平板状のフタ２と圧電素子４の大きくは３つの主要構成部品からなるが、基板１あるいはフタ２のいずれかに圧電素子４を収納するための空間部分を設ける必要があったが本発明はこの空間部分を主要構成部品から削除することができる。
【産業上の利用可能性】
【００１７】
本発明の基板は圧電部品を中心に実装する概念で説明しているが、他の半導体部品や電子部品など、本発明同様に基板管理（材料管理）を簡素化し製造工程を簡略化する他の部品についても応用することができる。
【図面の簡単な説明】
【００１８】
【図１】本発明の一実施の形態を示す斜視図である。
【図２】本発明で用いる接着部材の構造の一実施例を示す断面図である。
【図３】他の実施の形態である本発明の基板をシート状で考えた場合の概念を示す部分平面図である。
【図４】従来例を示す斜視図である。
【符号の説明】
【００１９】
１    圧電部品用基板
２    平板状のフタ
３    接着部材
４    圧電素子
【図１】
2005159796.tif 000003
【図２】
2005159796.tif 000004
【図３】
2005159796.tif 000005
【図４】
2005159796.tif 000006